【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
少なくとも１つの揮発性物質を含む燻蒸剤を土壌中又は土壌上に導入する工程、及び
前記土壌を多層ポリマーフィルムにより被覆して前記燻蒸剤を少なくとも部分的に含有させる工程を含み、
前記フィルムは、ＰＶＤＣ障壁層、前記ＰＶＤＣ障壁層の第１面上の第１保護層及び前記ＰＶＤＣ障壁層の第２面上の第２保護層を含み、
前記ＰＶＤＣ障壁層が、少なくとも１つのアルキルアクリレートビニリデンクロライドインターポリマーを含み、及び
前記障壁層は、前記多層ポリマーフィルムの厚さの約１０％より小さい厚さを構成する、土壌を燻蒸する方法。
【請求項２】
作物を生育するための土壌の植栽床を調製する工程、
雑草、昆虫、病害、線虫又は他の寄生虫の１以上の生育を土壌燻蒸により殺滅又は抑制するために、換金作物を植栽又は移植する前に、揮発性燻蒸剤を前記土壌の植栽床中に導入すること、前記土壌の植栽床の少なくとも一部を多層ポリマーフィルムにより被覆すること、および一定期間待機すること、により土壌燻蒸を実施する工程、及び
前記一定期間終了後に前記換金作物を植栽又は移植する工程
を含み、
前記多層フィルムは、ＰＶＤＣ障壁層、前記ＰＶＤＣ障壁層の第１面上の第１保護層及び前記ＰＶＤＣ障壁層の第２面上の第２保護層を含み、前記障壁層が、少なくとも１つのアルキルアクリレートビニリデンクロライドインターポリマーを含み、前記障壁層は、前記多層ポリマーフィルムの厚さの約１０％より小さい厚さを構成する、雑草、昆虫、病害、線虫又は他の寄生虫の１つ又はそれ以上による妨害を受けやすい換金作物を生育させるための耕地管理方法。
【請求項３】
土壌を有効量の燻蒸剤により処理する工程、前記燻蒸剤処理された土壌を、ＰＶＤＣ障壁層、前記ＰＶＤＣ障壁層の第１面上の第１保護層及び前記ＰＶＤＣ障壁層の第２面上の第２保護層を含む多層フィルムであって、前記障壁層が、少なくとも１つのアルキルアクリレートビニリデンクロライドインターポリマーを含み、前記障壁層は、前記多層ポリマーフィルムの厚さの約１０％より小さい厚さを構成する多層フィルム、により被覆する工程、並びに前記燻蒸剤を被覆された土壌に拡散させる工程を含む、土壌と接触させた揮発性農業用燻蒸剤を維持する方法。
【請求項４】
少なくとも１つの揮発性物質を含む燻蒸剤を土壌中又は土壌上に導入する工程、及び
前記土壌を多層ポリマーフィルムにより被覆して前記燻蒸剤を少なくとも部分的に含有させる工程を含み、
前記フィルムは、ＰＶＤＣ障壁層、前記ＰＶＤＣ障壁層の第１面上の第１保護層及び前記ＰＶＤＣ障壁層の第２面上の第２保護層を含み、
前記燻蒸剤はスルフリルフルオライドを含み、及び
前記障壁層は、前記多層ポリマーフィルムの厚さの約１０％より小さい厚さを構成する、土壌を燻蒸する方法。
【請求項５】
少なくとも１つの揮発性物質を含む燻蒸剤を土壌中又は土壌上に導入する工程、及び
前記土壌を多層ポリマーフィルムにより被覆して前記燻蒸剤を少なくとも部分的に含有させる工程を含み、
前記フィルムは、ＰＶＤＣ障壁層、前記ＰＶＤＣ障壁層の第１面上の第１保護層及び前記ＰＶＤＣ障壁層の第２面上の第２保護層を含み、
前記多層フィルムの少なくとも１つの保護層が、カーボンブラック、ＨＡＬＳ（ヒンダードアミン光安定剤）、ベンゾフェノン及びそれらの組合せからなる群から選択される少なくとも１つのメンバーを含むＵＶ保護層であり、及び
前記障壁層は、前記多層ポリマーフィルムの厚さの約１０％より小さい厚さを構成する、土壌を燻蒸する方法。
【請求項６】
前記障壁層が、少なくとも約８０重量パーセントのポリビニリデンクロライドポリマーを含む、請求項１〜５のいずれか一項に記載の方法。
【請求項７】
前記導入が、前記被覆前に前記燻蒸剤を土壌中に注入することを含む、請求項１、２、４または５のいずれか一項に記載の方法。
【請求項８】
前記燻蒸剤が、メチルブロマイド、クロロピクリン、１，３−ジクロロ−１−プロペン（シス）、１，３−ジクロロ−１−プロペン（トランス）、メチルイソチオシアネート、メタム−ナトリウム、メチルヨージド、スルフリルフルオライド、ジメチルジブロマイド、ジメチルスルフィド、メタムカリウム、ダゾメット、１，１，１，−トリフルオロ−２，６−ジニトロ−Ｎ，Ｎ−ジプロピル−ｐ−トルイジン、２，４−ジクロロフェノキシ酢酸及びそれらの混合物からなる群から選択される、請求項１〜３または５のいずれか一項に記載の方法。
【請求項９】
前記アクリレートが、メチルアクリレート、エチルアクリレート、プロピルアクリレート、ブチルアクリレート及びそれらの組合せからなる群から選択される、請求項１〜３のいずれか一項に記載の方法。
【請求項１０】
前記フィルムが、エチレンビニルアセテート、エチレンメタクリレート及びそれらの組合せからなる群から選択されるメンバーを含む少なくとも１つの封入層を更に含む、請求項１〜５のいずれか一項に記載の方法。
【請求項１１】
前記フィルムが、エチレンビニルアセテートを含む少なくとも１つの連結層を更に含む、請求項１〜５のいずれか一項に記載の方法。
【請求項１２】
前記多層フィルムにおける前記少なくとも１つの保護層が、カーボンブラック、ＨＡＬＳ（ヒンダードアミン光安定剤）、ベンゾフェノン及びそれらの組合せからなる群から選択される少なくとも１つのメンバーを含むＵＶ層である、請求項１〜４のいずれか一項に記載の方法。
【請求項１３】
前記少なくとも１つのメンバーを含むＵＶ層が、多くとも約２のＬ＊（透過率）値をもたらす、請求項１２に記載の方法。
【請求項１４】
前記少なくとも１つのＵＶ保護層が、低密度ポリエチレン、エチレン−オクテンコポリマー、エチレン−ビニルアセテートコポリマー、エチレンメチルアクリレートコポリマー及びそれらの組合せからなる群から選択されるポリマーを含む、請求項１２に記載の方法。
【請求項１５】
前記保護層の少なくとも１つが、二酸化チタン、金属顔料又はそれらの組合せを更に含む反射層である、請求項１〜５のいずれか一項に記載の方法。
【請求項１６】
前記フィルムが、約０．５ミルから約２．０ミルの実質的に均一な全厚を有する、請求項１〜５のいずれか一項に記載の方法。
【請求項１７】
前記障壁層が、前記多層フィルムの少なくとも約５容積パーセントである、請求項１〜５のいずれか一項に記載の方法。
【請求項１８】
前記障壁層が前記フィルムの少なくとも約５容積パーセント及び多くとも約１０容積パーセントを構成し、前記第１保護層が前記フィルムの少なくとも約１０容積パーセント及び多くとも約６０容積パーセントを構成し、前記第２保護層が前記フィルムの少なくとも約１０容積パーセント及び多くとも約６０容積パーセントを構成する、請求項１に記載の方法。
【請求項１９】
前記多層フィルムが、少なくとも１つの反射層を更に含む、請求項１〜５のいずれか一項に記載の方法。
【請求項２０】
前記少なくとも１つの反射層が、白色顔料、銀、アルミニウム、他の金属顔料及びそれらの組合せからなる群から選択される成分、及び、直鎖低密度ポリエチレン（ＬＬＤＰＥ）、エチレン−オクテンコポリマー、実質的に直鎖のエチレンポリマー、低密度ポリエチレン、ナイロン、ポリプロピレン及びそれらの組合せからなる群から選択されるポリマーを含む、請求項１９に記載の方法。